(57)【要約】【課題】今まで広告に使われることがなかった媒体を広告に活用することができ、広告を繰り返し目にさせることができる広告付きアンダーパンツ及び靴下並びにこれらを用いた広告方法を提供する。【解決手段】アンダーパンツ２の表地に広告３を付して、アンダーパンツに付された広告を、一日のうちで少なくともアンダーパンツをはくときと脱ぐときの２回ほど着用者の目に触れさせる。アンダーパンツの表地のうち、その前面に広告を付して、一日のうちでアンダーパンツをはくときと脱ぐときの２回以外にも、トイレに行くたびにアンダーパンツに付された広告を着用者の目に触れさせる。【選択図】図１
2014019956.tif 000002
【特許請求の範囲】
【請求項１】
アンダーパンツ又は靴下の表地に広告が付されていることを特徴とする広告付きアンダーパンツ又は靴下。
【請求項２】
前記アンダーパンツの表地のうち、その前面に広告が付されていることを特徴とする請求項１に記載の広告付きアンダーパンツ。
【請求項３】
前記靴下の表地のうち、その甲部分に広告が付されていることを特徴とする請求項１に記載の広告付き靴下。
【請求項４】
表地に広告が付されたアンダーパンツ又は靴下を無料又は有料で配布することを特徴とする広告方法。
【請求項５】
前記アンダーパンツ又は靴下を定期的に配布することを特徴とする請求項４に記載の広告方法。
【発明の詳細な説明】
【技術分野】
【０００１】
この発明は、柄付きのアンダーパンツと靴下に関し、特に、今まで広告に使われることがなかった媒体を広告に活用することができ、広告を繰り返し目にさせることができる広告付きアンダーパンツ及び靴下並びにこれらを用いた広告方法に関する。
【背景技術】
【０００２】
今まで伝達に使われることがなかった媒体を伝達に活用したものとしては、Ｔシャツの裏地に、表地の印刷に関連する説明を印刷することで、Ｔシャツを着ている人にも詳しいメッセージを伝えるようにしたものが提案されている（例えば、特許文献１参照）。
【０００３】
また、印刷の内容を工夫することで付加価値を生じさせたものとしては、紙おむつの外面に、特定の観念を想起させる幼児が好みそうな図形と、その図形の観念に関連して知育効果を付与できる知育表示を印刷することで、紙おむつに印刷されている幼児が好みそうな図形に好奇心の対象としての機能のほかに、知育教材としての機能を持たせるようにしたものが提案されている（例えば、特許文献２参照）。
【０００４】
さらに、アンダーパンツとしては、グンゼ株式会社が、購入者が自分で撮った写真や描いた絵のデータを送ると、そのデータをパンツのおしり部分に設けた空白に印刷するようにして、オリジナルパンツを作れるというサービスを行っている。
【先行技術文献】
【特許文献】
【０００５】
【特許文献１】特開２００５−４２２９１号公報（要約、図１）
【特許文献２】特開２００４−１２１８７１号公報（段落０００７，００１７、図１）
【発明の概要】
【発明が解決しようとする課題】
【０００６】
しかしながら、前記特許文献１に係る裏地に表地の説明が印刷されたＴシャツでは、裏地に説明を印刷しているために、Ｔシャツを裏返さければ、裏地に印刷された説明を目にすることができない。仮に、Ｔシャツを裏返さなくても裏地に印刷された説明を目にすることができるとしても、Ｔシャツを着るときと脱ぐときの２回しか裏地に印刷された説明を目にすることができない。
【０００７】
前記特許文献２に係る知育表示が印刷された紙おむつでは、紙おむつが使い捨てのために、紙おむつを取り替えるとき、具体的には紙おむつを着けるときと外すときの２回しか紙おむつに印刷された知育表示を目にすることができない。
【０００８】
前記オリジナルパンツでは、表地のおしり部分に設けた空白に印刷するようにしているために、パンツをはくときと脱ぐときの２回しかおしり部分に印刷された写真や絵を目にすることができない。
【０００９】
また、前記オリジナルパンツでは、購入者が自分で撮った写真や描いた絵のデータを印刷してオリジナルパンツを作るようにしているために、印刷にかかった費用は購入者が負担しなくてはならず、既製品よりも割高になる。
【００１０】
さらに、前記したすべてのものは、商品に付加価値を付ける目的で印刷をしているために、商品の価格が高くなることはあっても、安くなることはない。
【００１１】
そこで、この発明では、前記した課題を解決し、今まで広告に使われることがなかったアンダーパンツや靴下を広告に活用することができ、広告を繰り返し目にさせることができる広告付きアンダーパンツや靴下、さらに、広告付きアンダーパンツや靴下を用いた広告方法を提供することを目的とする。
【課題を解決するための手段】
【００１２】
前記課題を解決するため、請求項１に係る発明では、アンダーパンツや靴下の表地に広告を付した。
【００１３】
請求項２に係る発明では、アンダーパンツの表地のうち、その前面に広告を付した。
【００１４】
請求項３に係る発明では、靴下の表地のうち、その甲部分に広告を付した。
【００１５】
請求項４に係る発明では、表地に広告を付したアンダーパンツや靴下を無料又は有料で配布する。
【００１６】
請求項５に係る発明では、表地に広告を付したアンダーパンツや靴下を定期的に配布する。
【発明の効果】
【００１７】
請求項１に係る発明によれば、アンダーパンツや靴下の表地に広告を付したので、今まで広告に使われることがなかったアンダーパンツや靴下を広告に活用することができる。そして、アンダーパンツや靴下に付された広告を、一日のうちで少なくともアンダーパンツや靴下をはくときと脱ぐときの２回ほど着用者の目に触れさせることができる。
【００１８】
また、請求項１に係る発明によれば、洗濯して繰り返し着用できるアンダーパンツや靴下の表地に広告を付したので、前記特許文献２に係る使い捨ての紙おむつと異なり、アンダーパンツや靴下に付された広告を、日を改めて繰り返し着用者の目に触れさせることができる。さらに、この広告付きアンダーパンツや靴下を、例えば自宅で暮らす人が着用すると、洗濯の機会に、着用者以外の家族にもアンダーパンツや靴下に付された広告を目に触れさせることができる。
【００１９】
請求項２に係る発明によれば、アンダーパンツの表地のうち、その前面に広告を付したので、一日のうちでアンダーパンツをはくときと脱ぐときの２回以外にも、トイレに行くたびにアンダーパンツに付された広告を着用者の目に触れさせることができる。
【００２０】
請求項３に係る発明によれば、靴下の表地のうち、その甲部分に広告を付したので、一日のうちで靴下をはくときと脱ぐときの２回以外にも、靴を脱ぐたびに靴下に付された広告を着用者の目に触れさせることができる。
【００２１】
請求項４に係る発明によれば、無料又は有料で、表地に広告を付したアンダーパンツや靴下を配布するようにしたので、特に無料で広告付きアンダーパンツや靴下を配布すると、広告付きアンダーパンツや靴下に興味のない着用者や着用見込み者に、広告付きアンダーパンツや靴下を気軽に着用してもらうことができる。また、有料で広告付きアンダーパンツや靴下を配布、言い換えると広告付きアンダーパンツや靴下を購入できるようにすると、広告付きアンダーパンツや靴下に興味のある着用者や着用見込み者に、確実に広告付きアンダーパンツや靴下を届けることもできる。
【００２２】
請求項５に係る発明によれば、定期的に、表地に広告を付したアンダーパンツや靴下を配布するようにしたので、次回に別の広告が付いた広告付きアンダーパンツや靴下を配布すると、様々な広告を着用者の目に触れさせることができる。また、同じ広告であっても、アンダーパンツや靴下の傷みが気になり始めるころに広告付きアンダーパンツや靴下を配布すると、引き続き同じ広告を着用者の目に触れさせることもできる。
【図面の簡単な説明】
【００２３】
【図１】実施形態に係る広告付きアンダーパンツの斜視図のうち、トランクスの斜視図である。
【図２】実施形態に係る広告付きアンダーパンツの斜視図のうち、ボクサーパンツの斜視図である。
【図３】実施形態に係る広告付き靴下の斜視図である。
【発明を実施するための形態】
【００２４】
まず、この発明の創作の基礎となる事項について簡単に説明する。発明者は、スマートフォンのフロントパネルのひび割れなどの修理を行っており、新宿や渋谷などに店舗を構えている。そして、発明者は、新宿や渋谷では、ポケットティッシュやうちわなどのノベルティが毎日のように配布されていることに着目していた。そして、発明者は、ポケットティッシュやうちわなどは使い終わると、あるいは使い終わらなくても簡単に捨てられることから、それらの広告効果に疑問を感じていた。
【００２５】
発明者は、人はあるテーマに関して平均で６回繰り返し読んだり聞いたりすることによって、そのテーマに関しての内容の６２％が理解され記憶されると一般に言われていること、そのため、広告における繰り返しの反復効果が期待されていることを知った。そして、１回だけの広告では、消費者が広告の商品を買いたいと思っていたタイミングでない限り、広告の効果が出にくいと考えた。そして、発明者は、何回も広告を目に触れさせることができ、かつ簡単に捨てられない品物は何かと考え、アンダーパンツや靴下の表地に広告を付すと、アンダーパンツや靴下を広告物として活用できることを見いだし、この発明を創作するに至ったものである。
【００２６】
次に、この発明の実施形態について、適宜図面を参照しながら詳細に説明する。図１は、実施形態に係る広告付きアンダーパンツの斜視図のうち、トランクスの斜視図である。
【００２７】
図１に示すように、広告付きアンダーパンツ１は、アンダーパンツ２ここではトランクス２の表地に広告３が印刷されている。より詳細には、トランクス２の表地のうち、その前面、ここでは下腹部を覆う部分に、出願人の登録商標「あいさぽ」（登録第５４９２３６７号）と「ｉＰｈｏｎｅ（登録商標）修理  お任せ下さい！」と「あいさぽ（登録商標）で検索！」の文字と、出願人のキャラクター「あいさぽくん」の絵が広告３１として印刷されている。また、トランクス２の表地のうち、その前面、ここではゴムの部分に、出願人が運営するウェブサイトのアドレス３２が印刷されている。なお、実施形態に係る広告付きアンダーパンツ１では、着用者に広告３が見えやすいように、広告３が逆様に印刷されている。
【００２８】
図２は、実施形態に係る広告付きアンダーパンツの斜視図のうち、ボクサーパンツの斜視図である。図２に示すように、ボクサーパンツ２’の表地のうち、その前面、ここでは下腹部を覆う部分の左側に「くまモン」（登録商標）のキャラクターの絵が印刷され、右側に「あいさぽ」の文字と、出願人のキャラクター「あいさぽくん」の絵が広告３１として印刷されている。また、ボクサーパンツ２’の表地のうち、その前面、ここではゴムの部分に、あいさぽ熊本店のフリーダイヤル３２が印刷されている。なお、実施形態に係る広告付きアンダーパンツ１では、着用者に広告３が見えやすいように、広告３が逆様に印刷されている。
【００２９】
図３は、実施形態に係る広告付き靴下の斜視図である。図３に示すように、広告付き靴下４は、靴下５の表地に広告３が印刷されている。より詳細には、靴下５の表地のうち、その甲部分に「あいさぽ」と「ｉＰｈｏｎｅ修理  お任せ下さい！」と「あいさぽで検索！」の文字と出願人が運営するウェブサイトのアドレスと、キャラクター「あいさぽくん」の絵が広告３として印刷されている。ここで、実施形態に係る広告付き靴下４では、着用者に広告３が見えやすいように、広告３がかかとの方を下に、つま先の方を上になるように印刷されている。
【００３０】
以上のように構成された広告付きアンダーパンツ１や広告付き靴下４では、アンダーパンツ２，２’や靴下５の表地に広告を付したので、今まで広告に使われることがなかったアンダーパンツや靴下が広告として活用される。そして、アンダーパンツ２，２’や靴下５に付された広告３は、一日のうちで少なくともアンダーパンツ２，２’や靴下５をはくときと脱ぐときの２回ほど着用者の目に触れる。
【００３１】
ここで、広告付きアンダーパンツ１や広告付き靴下４は洗濯して繰り返し着用できるため、アンダーパンツ２，２’や靴下５に付された広告３は、日を改めて繰り返し着用者の目に触れる。さらに、広告付きアンダーパンツ１や広告付き靴下４は洗濯して繰り返し着用できるため、広告付きアンダーパンツ１や広告付き靴下４は、着用できなくなるまで捨てられにくい。また、広告付きアンダーパンツ１や広告付き靴下４を自宅で暮らす人が着用すると、アンダーパンツ２，２’や靴下５に付された広告３は、洗濯の機会に着用者以外の家族の目にも触れる。
【００３２】
さらに、広告付きアンダーパンツ１は、アンダーパンツ２，２’の表地のうち、その前面に広告３が付されているために、一日のうちで広告付きアンダーパンツ１をはくときと脱ぐときの２回以外にも、トイレに行くたびにアンダーパンツ２，２’に付された広告３が着用者の目に触れる。このように、アンダーパンツ２，２’に付された広告３が繰り返し着用者の目に触れるため、広告付きアンダーパンツ１は、着用者の生活に溶け込んだ広告物になる。
【００３３】
また、広告付き靴下４は、靴下５の表地のうち、その甲部分に広告３が付されているために、一日のうちで広告付き靴下４をはくときと脱ぐときの２回以外にも、靴を脱ぐたびに靴下５に付された広告３が着用者の目に触れる。このように、靴下５に付された広告３が繰り返し着用者の目に触れるため、広告付き靴下４は、着用者の生活に溶け込んだ広告物になる。
【００３４】
引き続き、広告付きアンダーパンツ１や広告付き靴下４を用いた広告方法について、詳細に説明する。実施形態に係る広告付きアンダーパンツ１や広告付き靴下４を用いた広告方法では、広告付きアンダーパンツ１や広告付き靴下４を無料で定期的に配布する。
【００３５】
ここでは、広告付きアンダーパンツ１を用いた広告方法について、具体的に説明する。広告付きアンダーパンツ１を用いた広告方法では、例えば一回につき７枚の広告付きアンダーパンツ１を毎月配布する。このように一回につき７枚の広告付きアンダーパンツ１を配布するようにすると、着用者が広告付きアンダーパンツ１を毎日はくとすれば、一つの広告付きアンダーパンツ１は月に４回ほど着用される。そうすると、広告３が一日のうちで広告付きアンダーパンツ１をはくときと脱ぐときの２回しか着用者の目に触れないとしても、１か月当たり少なくとも８回ほど着用者の目に触れることになる。そのため、前述した広告における繰り返しの反復効果が生じる。
【００３６】
また、毎月、広告付きアンダーパンツ１を配布するようにすると、広告における繰り返しの反復効果を生じさせつつ、新たな広告を着用者の目に触れさせられる。さらに、毎月、広告付きアンダーパンツ１を配布するようにすると、着用者が市販のアンダーパンツを買わないようになるため、広告付きアンダーパンツ１の配布を継続しやすい。
【００３７】
以上、この発明の実施形態について説明したが、この発明は前記実施形態には限定されない。例えば、実施形態に係る広告付きアンダーパンツ１では、男性用のものとして説明したが、女性用のものでも構わない。また、広告付きアンダーパンツ１は大人用のものに限られず、子供用のものでも構わない。広告付き靴下４についても同様で、女性用のものでも、子供用のものでも構わない。
【００３８】
また、実施形態に係る広告付きアンダーパンツ１では、広告３を逆様に印刷しているが、広告３を、上下を正しく印刷しても構わない。
【００３９】
この発明においてアンダーパンツ２，２’とは、下着のうち、下半身に着るものをいう。
【００４０】
この発明においてアンダーパンツ２，２’の前面とは、下腹部側の面をいう。
【００４１】
この発明において有料とは、無料でないことをいい、例えば１円を含む。また、この発明において有料とは、広告付きアンダーパンツ１や広告付き靴下４を無料にしながら、送料を有料にする場合も含む。
【符号の説明】
【００４２】
１    広告付きアンダーパンツ
２    アンダーパンツ（トランクス）
２’  アンダーパンツ（ボクサーパンツ）
３    広告
４    広告付き靴下
５    靴下
【図１】
2014019956.tif 000003
【図２】
2014019956.tif 000004
【図３】
2014019956.tif 000005